(57)【要約】【課題】  それぞれが複数の操作条件を有する複数の操作モードを有する画像形成装置において、設定済みの操作条件の設定内容の変更を行う場合、設定モード画面に戻ることなく、変更を行うことが可能な画像形成装置を提供する。【解決手段】  画像形成装置においては、設定モードとしてユーザが両面印刷をするか否かの設定をする（ＳＰ５１〜５４）と、設定状態表示部に両面印刷および設定変更キーが表示される。その後、ソート印刷の設定画面とともに設定状態表示部が表示される（ＳＰ５５）。ソート印刷の設定をしない場合、両面印刷の設定を行った画面に戻ることなく、設定状態表示部において両面印刷の設定を変更する処理を行いうる（ＳＰ５６〜５８）。【選択図】      図５
2006211275.tif 000002
【特許請求の範囲】
【請求項１】
それぞれが複数の選択肢を有する複数の操作条件の各々を設定することによって操作が可能となる画像形成装置であって、
ユーザが前記複数の操作条件を個別に設定するための操作部を含み、
前記操作部は、前記複数の操作条件が操作条件ごとに順に表示される操作条件表示部と、
前記操作条件表示部とは別に設けられ、前記複数の操作条件のうち、ユーザが設定した操作条件を表示する設定状態表示部とを含み、
ユーザの要求に応じて、前記設定状態表示部に表示された設定済みの操作条件の設定内容の変更を、前記設定状態表示部において行う設定条件変更手段とを含む、画像形成装置。
【請求項２】
前記設定条件変更手段は前記設定済みの操作条件のキャンセルを行う、請求項１に記載の画像形成装置。
【請求項３】
前記操作条件表示部および前記設定状態表示部は、ユーザの要求に応じて表示される、請求項１または２に記載の画像形成装置。
【発明の詳細な説明】
【技術分野】
【０００１】
この発明は、画像形成装置に関し、特に操作条件の設定内容の変更が容易な画像形成装置に関する。
【背景技術】
【０００２】
それぞれが複数の操作条件を有する複数の操作モードを有する画像形成装置において、ユーザの設定した操作条件の設定内容を、設定モード以外の別の操作モードの設定状態表示画面に表示する画像形成装置が、たとえば特開平１−２４１５６９号公報（特許文献１）に開示されている。
【特許文献１】特開平１−２４１５６９号公報（第２３〜２５頁、第２６〜２８図）
【発明の開示】
【発明が解決しようとする課題】
【０００３】
特許文献１によると、ユーザの設定した操作条件の設定内容を、設定モード以外の別の操作モードの選択状態表示画面に一覧で表示しているため便利ではあるが、設定済みの操作条件の設定内容を変更する場合は、再び設定が可能な各設定モード画面に戻らなければならず、手間がかかることとなる。
【０００４】
この発明は、それぞれが複数の操作条件を有する複数の操作モードを有する画像形成装置において、設定済みの操作条件の設定内容の変更を行う場合、その設定を行った設定モード画面に戻ることなく、設定内容の変更を行うことが可能な画像形成装置を提供することを目的とする。
【課題を解決するための手段】
【０００５】
この発明に係る画像形成装置は、それぞれが複数の選択肢を有する複数の操作条件の各々を設定することによって操作が可能となる画像形成装置であって、ユーザが複数の操作条件を個別に設定するための操作部を含み、操作部は、複数の操作条件が操作条件ごとに順に表示される操作条件表示部と、操作条件表示部とは別に設けられ、複数の操作条件のうち、ユーザが設定した操作条件を表示する設定状態表示部とを含み、ユーザの要求に応じて、設定状態表示部に表示された設定済みの操作条件の設定内容の変更を、設定状態表示部において行う設定条件変更手段とを含む。
【０００６】
好ましくは、設定条件変更手段は設定済みの操作条件のキャンセルを行う。
【０００７】
さらに好ましくは、操作条件表示部および設定状態表示部は、ユーザの要求に応じて表示される。
【発明の効果】
【０００８】
この発明によれば、ユーザの要求に応じて、設定状態表示部において設定済みの操作条件の設定内容の変更が可能となる。
【０００９】
その結果、それぞれが複数の操作条件を有する複数の操作モードを有する画像形成装置において、設定済みの操作条件の設定内容の変更を行う場合、その設定を行った設定モード画面に戻ることなく、設定内容の変更を行うことが可能な画像形成装置を提供することができる。
【発明を実施するための最良の形態】
【００１０】
以下、この発明の実施の形態を図面を参照して説明する。図１はこの発明の一実施形態に係る画像形成装置を、デジタル複合機に適用した場合の、デジタル複合機１０の構成を示すブロック図である。図１を参照して、デジタル複合機１０は、デジタル複合機１０全体を制御する制御部１１と、ＤＲＡＭ１２と、ハードディスク１３と、操作部１４と、画像読取り部１５と、印字部１６と、公衆回線３０に接続されるＦＡＸ通信部１８と、ネットワーク４０と接続するためのネットワークＩＦ（インタフェース）部１９とを備える。
【００１１】
制御部１１は、画像読取り部１５から与えられる原稿データをＤＲＡＭ１２に圧縮符号化して書き込み、ＤＲＡＭ１２に書き込んだデータを読み出し、伸張符号化して印字部１６により出力する。また、制御部１１は、原稿データの書き込みや読み出しを行うためのＤＲＡＭ１２と、画像読取り部１５と、ハードディスク１３の制御を行う。
【００１２】
デジタル複合機１０は、画像読取り部１５により読取られた原稿を用いて、ＤＲＡＭ１２を介して印字部１６において画像を形成することにより、複写機として機能する。また、デジタル複合機１０は、ＦＡＸ通信部１８を通じて、公衆回線３０から送信された画像データを用いて、ＤＲＡＭ１２を介して印字部１６において画像を形成することにより、ファクシミリ装置として機能する。さらに、デジタル複合機１０は、ネットワークＩＦ部１９を通じて、ネットワーク４０に接続されたパソコン４１から送信された画像データを用いて、ＤＲＡＭ１２を介して印字部１６において画像を形成することにより、プリンターとして機能する。
【００１３】
なお、図１において太線の矢印は画像データの流れを示しており、細線の矢印は制御信号または制御データの流れを示している。
【００１４】
図２は、図１に示した操作部１４の通常の操作条件を示す表示例である。操作部１４は液晶パネルにより構成されており、デジタル複合機１０からユーザへの情報を表示したり、ユーザが所望の設定を行うことができるようになっている。この液晶パネルはタッチパネルであり、原稿に応じて各種モードなどの画像形成時の条件を設定する場合には、タッチパネルに表示されている条件設定キー１４１を選択することにより設定することができる。また、操作部１４にはサポート機能キー１４２が設けられ、これを押下げることにより、ユーザは後述するサポート機能を使用することができる。
【００１５】
次に、操作可能な操作条件を選択し、選択した操作条件を操作部１４に順に表示する場合の動作例について説明する。図３は、デジタル複合機１０を複写機として使用した場合の、制御部１１の動作を示すフローチャートである。
【００１６】
図２および図３を参照して、サポート機能を使用してコピーをする場合の制御部１１の動作について説明する。
【００１７】
まず、ユーザはサポート機能を使用するか否かを選択する。サポート機能とは、ユーザの要求に応じて、原稿の読取り結果およびユーザに入力された使用目的の情報に基づいて操作可能な操作条件を操作条件ごとに操作部１４に順に表示させる機能をいい、ユーザは順に表示される操作条件を個別に設定できる。サポート機能を使用する場合は、操作部１４に表示されているサポート機能キー１４２を押下げる。
【００１８】
ステップ（図示ではＳＰと略称する）ＳＰ１において、サポート機能キー１４２が押下された場合（ＳＰ１で、ＹＥＳ）、画像読取り部１５は、ユーザにセットされた原稿を自動原稿送り装置または原稿台で読取る（ＳＰ２）。
【００１９】
原稿を読取った後、ステップＳＰ３において、ユーザに画像形成時における使用目的の情報を入力させる。図４は、この場合における使用目的の情報を入力させるための操作部１４の表示例であり、ここでは、読取った原稿の枚数と、ユーザに使用目的の情報の入力を促す「使用目的は？」との問い合わせの表示と、使用目的として「省資源」、「会議用」、「画像処理」、「その他」が表示されている。ユーザに使用目的を入力させた後、原稿およびユーザにより入力された使用目的の情報から各使用目的に合った操作可能な操作条件を選択する（ＳＰ４）。
【００２０】
操作可能な操作条件を選択した後、ステップＳＰ５において、操作部１４に操作可能な操作条件が操作条件ごとに順に表示される。
【００２１】
なお、ユーザがサポート機能キー１４２を押下しない場合（ステップＳＰ１で、ＮＯ）は、ステップＳＰ６において、図２に示した通常の操作条件を操作部１４に表示する。
【００２２】
次に、ステップＳＰ５において示した、操作条件を操作部１４に順に表示する動作例について説明する。
【００２３】
図５は、ステップＳＰ５で示した、操作可能な操作条件を操作条件ごとに操作部１４に順に表示する場合のフローチャートである。
【００２４】
ここでは、たとえば、図４における使用目的として「省資源」が入力された場合の動作例を示している。使用目的として「省資源」が入力されると、「省資源」化したコピーが可能な操作条件が順に操作部１４に表示される。ここでは、「省資源」を目的とした場合について説明するが、「会議用」、「画像処理」、「その他」においても同様である。
【００２５】
操作可能な操作条件が選択された後、まず図６に示す両面印刷をするか否かの設定をするための表示画面が表示される（ＳＰ５１）。
【００２６】
図５および図６を参照して、操作部１４は、操作条件を個別に設定する設定画面となる操作条件表示部１４７と、操作条件表示部１４７とは別に設けられ、ユーザが設定した操作条件の設定内容を表示する設定状態表示部１４５とを含む。操作条件表示部１４７には、「両面印刷をしますか？」という問い合わせの表示と、「「はい」を選択すると用紙の表と裏に印刷されます。」という両面印刷の説明の表示と、両面印刷した場合の印刷状態を示す印刷状態図と、選択肢となる「はい」または「いいえ」を決定する操作条件決定キー１４４ａ、１４４ｂとが表示される。設定状態表示部１４５には、まだ設定が終了した操作条件がないため、何も表示されない。
【００２７】
ここで、ユーザは「はい」または「いいえ」の操作条件決定キー１４４ａ、１４４ｂを押下げ、両面印刷をするか否かを設定する（ＳＰ５２）。両面印刷をする場合（ＳＰ５２で、ＹＥＳ）、「はい」の操作条件決定キー１４４ａを押下げる。すると、操作条件として、両面印刷が設定される（ＳＰ５３）。両面印刷をしない場合（ＳＰ５２で、ＮＯ）、「いいえ」の操作条件決定キー１４４ｂを押下げる。この場合、両面印刷は設定されず、片面印刷が設定される（ＳＰ５４）。
【００２８】
次に、図７に示すソート印刷をするか否かの設定をするための表示画面が表示される（ＳＰ５５）。ここで、操作条件表示部１４７には、「ソート印刷をしますか？」という問い合わせの表示と、「「はい」を選択すると１，２，３，４，・・・の順に印刷されます。「いいえ」を選択すると１，１，２，２，・・・の順に印刷されます。」というソート印刷の説明の表示と、ソート印刷した場合の印刷状態を示す印刷状態図と、選択肢となる「はい」または「いいえ」を決定する操作条件決定キー１４６ａ、１４６ｂとが表示される。また、設定状態表示部１４５には、前の画面で設定した内容、たとえば、両面印刷の表示および設定変更キー１４８が表示される。ここで、設定変更キー１４８とは、設定が終了した操作条件の設定内容を、表示画面を変えることなく変更することをユーザが要求するキーをいう。
【００２９】
ここで、制御部１１は、ユーザが新しい操作条件としてソート印刷の設定をするか、設定済みの操作条件の変更のいずれかを行うのを待つ（ＳＰ５６、５７）。ソート印刷の設定をしないでユーザが両面印刷の設定内容を変更する場合（ＳＰ５６において、ＮＯ）設定状態表示部１４５に表示されている設定変更キー１４８を押下げる（ＳＰ５７において、ＹＥＳ）。すると、ユーザの要求に応じて、制御部１１は設定条件変更手段として作動し、両面印刷の設定内容が変更され、片面印刷の設定となり（ＳＰ５８）、ステップＳＰ５６へ戻る。
【００３０】
ユーザがソート印刷の設定をする場合（ＳＰ５６において、ＹＥＳ）、「はい」または「いいえ」の操作条件決定キー１４６ａ、１４６ｂを押下げ、ソート印刷をするか否かを設定する（ＳＰ５９）。ソート印刷を設定する場合（ＳＰ５９において、ＹＥＳ）、「はい」の操作条件決定キー１４６ａを押下げる。すると、操作条件として、ソート印刷が設定され（ＳＰ６０）、設定状態表示部１４５には、ソート印刷が表示される。ソート印刷をしない場合（ＳＰ５９において、ＮＯ）、「いいえ」の操作条件決定キー１４６ｂを押下げる。この場合、ソート印刷は設定されない。
【００３１】
その後、次の操作条件として集約印刷をするか否かの操作条件を設定するための表示画面（Ｓ６１）、ステープルをするか否かの操作条件を設定するための表示画面（図示なし）が順に表示される。また、各表示画面の設定状態表示部１４５には、既に設定が終了した操作条件と、その設定の内容及び設定内容を変更するための設定変更キー１４８が表示される。ユーザは操作条件表示部１４７に表示された各操作条件を順に設定後、コピーを開始する。
【００３２】
以上のように、この実施の形態においては、設定状態表示部１４５に設けられた設定変更キー１４８を押下げることにより、その設定画面に戻ることなく設定済みの操作条件の変更が可能となる。その結果、既に行った操作条件の設定内容の変更が容易となる。
【００３３】
上記の実施に形態については、設定内容の変更の場合についてのみ説明したが、これに限らず、設定をキャンセルするキーを設け、直接設定内容をキャンセルすることができることとしてもよい。こうすることにより、設定内容をキャンセルする場合についても、その設定を行った設定モード画面に戻ることなくキャンセルすることができ、より手間を省くことができる。
【００３４】
また、上記の実施の形態については、既に行った操作条件の設定内容の変更をするか否かの問い合わせを各操作条件ごとに行ったが、これに限らず、すべての操作条件を設定した後、最後の設定画面において、まとめて設定内容を変更するか否かの問い合わせを行ってもよい。
【００３５】
なお、以上の実施の形態においては、デジタル複合機１０をコピー機として使用した場合について説明したが、デジタル複合機１０をプリンターとして使用する場合、ファクシミリ装置として使用する場合およびスキャナとして使用する場合についても、読取り原稿や受信データに基づいて使用目的に応じた操作可能な操作条件を順に表示し、各操作条件を設定させ、その表示画面で設定内容の変更やキャンセルができることとしてもよい。
【００３６】
以上、図面を参照してこの発明の実施形態を説明したが、この発明は、図示した実施形態のものに限定されない。図示した実施形態に対して、この発明と同一の範囲内において、あるいは均等の範囲内において、種々の修正や変形を加えることが可能である。
【図面の簡単な説明】
【００３７】
【図１】この発明の一実施形態に係る画像形成装置の構成を示すブロック図である。
【図２】この発明の一実施形態に係る画像形成装置の操作部１４の通常の操作条件を示す表示例である。
【図３】この発明の一実施形態に係る画像形成装置を複写機として使用した場合の、制御部１１の動作を示すフローチャートである。
【図４】この発明の一実施形態に係る画像形成装置の、使用目的の情報を入力させるための操作部１４の表示例である。
【図５】操作可能な操作条件を操作条件ごとに操作部１４に順に表示する場合のフローチャートである。
【図６】選択された操作可能な操作条件のうち、両面印刷をするか否かの設定をするための表示画面の一例を示す図である。
【図７】選択された操作可能な操作条件のうち、ソート印刷をするか否かの設定をするための表示画面の一例を示す図である。
【符号の説明】
【００３８】
１０  デジタル複合機、１１  制御部、１２  ＤＲＡＭ、１３  ハードディスク、１４  操作部、１５  画像読取り部、１６  印字部、１８  ＦＡＸ通信部、１９  ネットワークＩＦ部、３０  公衆回線、４０  ネットワーク、４１  パソコン、１４１，１４３  条件設定キー、１４２  サポート機能キー、１４４，１４６  操作条件決定キー、１４５  設定状態表示部、１４７  操作条件表示部、１４８  設定変更キー。
【図１】
2006211275.tif 000003
【図２】
2006211275.tif 000004
【図３】
2006211275.tif 000005
【図４】
2006211275.tif 000006
【図５】
2006211275.tif 000007
【図６】
2006211275.tif 000008
【図７】
2006211275.tif 000009